(57)【特許請求の範囲】
【請求項１】
ベースと、
前記ベース上に配設され、複数の列を有するフィンチューブ熱交換器からなる蒸発器と、
前記蒸発器に送風する送風ファンと、
前記送風ファンを固定する固定具と、
冷媒と液状熱媒体との熱交換を行う放熱器と、
前記固定具が上面に設けられ、前記蒸発器の風下側のベース上に配設され、前記放熱器を内部に収納する放熱器収納箱とを備え、
前記蒸発器の風下側列のフィンチューブ熱交換器の列ピッチを風上側列のフィンチューブ熱交換器の列ピッチより小さくし、前記蒸発器と前記放熱器収納箱との間隔を前記蒸発器の風下側列のフィンチューブ熱交換器の列ピッチより大きくしたことを特徴とするヒートポンプユニット。
【請求項２】
ベースと、
前記ベース上に配設され、複数の列を有するフィンチューブ熱交換器からなるとともに、このフィンチューブ熱交換器が上部パーツと下部パーツとから構成された蒸発器と、
前記蒸発器に送風する送風ファンと、
前記送風ファンを固定する固定具と、
冷媒と液状熱媒体との熱交換を行う放熱器と、
前記固定具が上面に設けられ、前記蒸発器の風下側のベース上に配設され、前記放熱器を内部に収納する放熱器収納箱とを備え、
前記下部パーツの上端を前記放熱器収納箱の上面より上に位置するように構成し、前記下パーツと前記放熱器収納箱との間隔を前記下パーツの列ピッチより大きくしたことを特徴とするヒートポンプユニット。
【請求項３】
前記下部パーツの列ピッチを前記上部パーツの列ピッチより小さくしたことを特徴とする請求項２に記載のヒートポンプユニット。
【請求項４】
前記下部パーツの伝熱管の外径を前記上部パーツの伝熱管の外径より小さくしたことを特徴とする請求項２または３に記載のヒートポンプユニット。
【請求項５】
前記下部パーツのフィンピッチを前記上部パーツのフィンピッチより大きくしたことを特徴とする請求項２乃至４のいずれか一項に記載のヒートポンプユニット。
【発明の詳細な説明】
【技術分野】
【０００１】
本発明は、ヒートポンプ給湯機に関するものである。
【背景技術】
【０００２】
従来のヒートポンプ給湯機では、水熱交換器（放熱器）を搭載したヒートポンプ熱源機において、省スペース化を図り、極力大きな水熱交換器を載置することができるヒートポンプ熱源機を提供することを目的とし、空気熱交換器（蒸発器）と、空気熱交換器に通風させる送風ファンと、付帯する冷凍サイクルを流れる冷媒と液状熱媒体との熱交換を行う水熱交換器とを有するヒートポンプ熱源機で、水熱交換器を送風回路の空気熱交換器の後流側下方に水熱交換器カバーでカバーして配置し、一方送風ファンを固定するファンモータ取付具は水熱交換器カバー上に固定し、さらに空気熱交換器は内側列のフィンチューブ熱交換器の下方部を、外側列のフィンチューブ熱交換器の下方部より所定長さだけ短く構成し、これにより奥行き方向の省スペース化を実現したものがある（例えば、特許文献１参照）。
【０００３】
【特許文献１】特開２００５−１４７４６７号公報
【発明の開示】
【発明が解決しようとする課題】
【０００４】
しかし、特許文献１では、蒸発器は内側列のフィンチューブ熱交換器の下方部を外側列のフィンチューブ熱交換器の下方部より所定長さだけ短く構成しているため、放熱器の設置スペースは確保できるが、フィンチューブ熱交換器の内側列の面積は小さくなるため、その分、熱交換性能が低下する。その低下分を補うためには空気熱交換器の段数を増やす必要があるが、そうすると熱源機の高さが増すことになるため、設置面積は増大しないが、熱源機の容積は増大することになる。
【０００５】
本発明は以上のような課題を解決するためになされたもので、ヒートポンプ給湯機において、蒸発器および放熱器の熱交換性能の低下を抑えながら、熱源機の省スペース化を図ることを目的とする。
【課題を解決するための手段】
【０００６】
本発明に係るヒートポンプ給湯機は、ヒートポンプユニットのベース上に設けられた複数列のフィンチューブ熱交換器からなる蒸発器と、この蒸発器の風下側下方部に設けられ、内部に放熱器を収納する放熱器収納箱と、放熱器収納箱の上面に設けられ、蒸発器に外部空気を送風するファンを備え、蒸発器の風下側列のフィンチューブ熱交換器の列ピッチを風上側列のフィンチューブ熱交換器の列ピッチより小さくし、蒸発器と放熱器収納箱との間隔を蒸発器の風下側列のフィンチューブ熱交換器の列ピッチより大きくしたものである。
【発明の効果】
【０００７】
本発明のヒートポンプ給湯機は、ベース上に設けられた２列のフィンチューブ熱交換器からなる蒸発器と、この蒸発器の風下側下方部に設けられ、内部に放熱器を収納する放熱器収納箱と、放熱器収納箱の上面に設けられ、蒸発器に外部空気を送風するファンを備え、蒸発器の風下側列のフィンチューブ熱交換器の列ピッチを風上側列のフィンチューブ熱交換器の列ピッチより小さくしたため、蒸発器および放熱器の熱交換性能の低下を抑えながら、熱源機の省スペース化を図ることができる。
【発明を実施するための最良の形態】
【０００８】
実施の形態１．
以下、本発明の実施の形態１を図１に示す。図１は本発明のヒートポンプ給湯機の冷媒回路図であり、ヒートポンプユニット１００内には圧縮機１、放熱器２、膨張弁３、蒸発器４を配管６により順次環状に接続した冷凍サイクルと、蒸発器４に外気を送風するファン５とが搭載されており、一方、タンクユニット２００内には給湯水回路における放熱器２で加熱された負荷側媒体である水を送水するポンプ２０と、ポンプ２０の送水により放熱器２を介して加熱された温水を貯留するタンク８が搭載されている。
【０００９】
図１のヒートポンプ給湯機の冷媒回路図には給湯回路のタンク８から例えば風呂などに貯留した一定温度のお湯を供給する給湯装置は省略してある。又給湯回路からは水を供給する回路なども省略してある。又圧縮機として吐出する冷媒の圧力や温度を変化させられるように圧縮機駆動装置としてインバータ制御のＤＣブラシレスモータを使用して回転数を可変としたもので説明するが、圧縮機の出力を複数台の圧縮機を組合せてこの組合せを切換えて全体の能力を可変にしても良い。又圧縮機の吸入側に冷媒音を低減させるサクションマフラーのような容器を設けたり、圧縮機の吐出側に流出した潤滑油を回収する装置を設けるなど図１の構成に他の目的の構造を付加することは構わない。即ち図１は基本的な回路だけを説明している。このヒートポンプ給湯機の冷媒としては、高温出湯ができる冷媒、例えば、二酸化炭素、Ｒ４１０Ａ、プロパン、プロピレンなどの冷媒が適しているが、特にこれらに限定されるものではない。
【００１０】
本発明のヒートポンプ給湯機は、ベース上に設けられた複数列のフィンチューブ熱交換器からなる蒸発器と、この蒸発器の風下側下方部に設けられ、内部に放熱器を収納する放熱器収納箱と、放熱器収納箱の上面に設けられ、蒸発器に外部空気を送風するファンを備え、蒸発器の風下側列のフィンチューブ熱交換器の列ピッチを風上側列のフィンチューブ熱交換器の列ピッチより小さくし、蒸発器と放熱器収納箱との間隔を蒸発器の風下側列のフィンチューブ熱交換器の列ピッチより大きくしたので、蒸発器と放熱器収納箱との隙間を確保し蒸発器下部から蒸発器と放熱器収納箱との隙間を通過しファンへ向かう空気の風量を改善し、蒸発器および放熱器の熱交換性能の低下を抑えながら、熱源機の省スペース化を図ることができる。
【００１１】
膨張弁３を通過した冷媒は、ここで低圧気液二相の状態に減圧される。膨張弁３を通過した冷媒は蒸発器４に流入し、そこでファン５によって送風された外気空気から吸熱し、蒸発ガス化される。蒸発器４を出た低圧冷媒は圧縮機１に吸入されて循環し冷凍サイクルを形成する。
【００１２】
また、給湯水回路側では、放熱器２で冷媒から放熱された熱は、ポンプ２０によりタンク８の下部から導かれて放熱器２の給湯水回路側へ搬送される水などの負荷側媒体に与えられる。ここで加熱された負荷側媒体はタンク８の上部から流入し、タンク８内に蓄熱される。即ちタンク内には上部がお湯で下部が水の状態となる。
【００１３】
図２は、図１で示したヒートポンプユニット１００の構造を示す分解斜視図である。ヒートポンプユニット１００のベース１０上には、圧縮機１と、放熱器２が収納された放熱器収納箱７が配設されている。圧縮機１の上には電気品箱９が設けられている。電気品箱９は、圧縮機１や、膨張弁３、ファン５など各アクチュエータを制御するための回路基板が収納されている。圧縮機１の側部は仕切部材１１によって仕切られており、圧縮機１の反対側は送風室となっている。
【００１４】
送風室には放熱器収納箱７が配設されており、放熱器収納箱７の上にはモータサポートによってファン５が固定されている。ファン５と対向する風上側からファン５に対し仕切部材１１と反対側の側面にかけて略Ｌ字形状の蒸発器４がベース１０上に設けられている。省スペース化のために、蒸発器４の下部はファン５の回転軸方向から見て放熱器収納箱７と重複した部分を有する。
【００１５】
ヒートポンプユニット１００は、さらにファン５の風下側と対向するように設けられた吹出グリル１２を有する上面から見てＬ字形状のフロントパネル１３と、フロントパネル１３の一側面側に配置され開口部を有する側面パネル１４と、トップパネル１６を有している。側面パネル１４の開口部には放熱器２とタンク８とを接続する配管６の接続部が配置され、この接続部は配管カバー１５によって覆われる。
【００１６】
図３は、本発明のヒートポンプユニット１００の構成を正面から見た模式図である。また、図４は、本発明の蒸発器４と放熱器収納箱７との位置関係を表す上面から見た模式図である。さらに図５は、蒸発器４と放熱器収納箱７との位置関係を示す側面模式図である。図５中の伝熱管を１７ａ、また伝熱管同士を結ぶ実線および点線は、紙面手前側か奥側で互いに接続されていることを示している。
【００１７】
上記のように特許文献１では、給湯用ヒートポンプユニットの小型化のために、蒸発器である複数列のフィンチューブ熱交換器について、フィンチューブ熱交換器の内側列の下方部を外側列の下方部より所定長さだけ短くしたものであるが、内側列を所定長さ分短くしたことにより、蒸発器下部の風量は改善するものの内側列の伝熱管が省略されることにより熱交換面積が小さくなり、十分な熱交換性能が得られない可能性があった。
【００１８】
これに対し、本発明のヒートポンプユニットでは、蒸発器４は風向き方向前後に並べて配列された複数列のフィンチューブ熱交換器で構成されている。ここで、フィンチューブ熱交換器は図５に示した通り、ベース１０の設置面に対して垂直な方向に立設されており、この方向を熱交換器の段方向と呼び、段方向の伝熱管の間隔を段ピッチ（Ｄｐ）と呼ぶ。また、ベース１０の設置面と平行な方向であり、かつフィンチューブ熱交換器の伝熱管の伸長方向と垂直方向、つまり複数列のフィンチューブ熱交換器の配列方向を列方向と呼び、列方向のフィンの幅を列ピッチ（図中ＡまたはＢ）と呼ぶ。また、フィンチューブ熱交換器の隣接するフィン同士の間隔をフィンピッチ（図４のＥ）と呼ぶ。さらに、フィンチューブ熱交換器の風上側（外側）列の伝熱管と風下側（内側）列の伝熱管とは段方向において互いに異なる高さとなるように千鳥状にずらして配置している。互いに同じ高さとすると風下側列の伝熱管に風が当たりにくくなるため伝熱性能が低下するためである。
【００１９】
図５に示したように風上側列と風下側列の高さは同じであるが、風上側列の列ピッチＡに比べて風下側列の列ピッチＢが小さく構成されている（Ａ＞Ｂ）。これにより、蒸発器４の空気流れ方向の厚みが従来Ａ＋ＡであったものがＡ＋Ｂに減少することにより、熱交換面積を維持しつつ通風抵抗を減少させるとともに、放熱器収納箱７の設置スペースを確保することができる。蒸発器４と放熱器収納箱７との間には所定の間隔Ｃの隙間１７が設けられている。間隔Ｃはスペースの都合上は小さい方がよいが、蒸発器４の熱交換性能とのバランスの観点からは列ピッチＢ以上の幅を有することが望ましい。間隔Ｃを列ピッチＢより大きくすることで、矢印Ｄで示したような蒸発器４下部を通過した空気がファン５に向って通りぬける風路を確保することができ、蒸発器４下部を通る風について十分な風量を確保できる。
【００２０】
風下側列の列ピッチＢは、フィンの強度を保つために、少なくとも伝熱管の外径に対して５ｍｍ以上長くするのが望ましい。例えば、伝熱管の外径を７．５ｍｍ、風上側列の列ピッチＡを２２ｍｍとすると、風下側列の列ピッチＢを１２．５ｍｍ以上とすることが望ましい。これにより、列ピッチを最大で９．５ｍｍ程度小さくすることができ、その分、放熱器収納箱７の設置スペースを確保することができる。
【００２１】
風下側列の列ピッチを風上側列より小さくしたのは、風上側列の方が空気と伝熱管内の冷媒との温度差が風下側列と比べて大きいため、風下側列を小さくした方が熱交換器の伝熱性能への影響が小さいためである。そのため、同じ量の列ピッチを減らす場合であっても、風上側列を小さくした場合や、風下側列と風上側列とを等しく小さくした場合と比べて、風下側列の列ピッチを風上側列より小さくした方がより性能の低下の少ない熱交換器を得ることができる。さらに、風下側列のフィンに切起こし（図示せず）を設ければ、フィンの伝熱性能の向上が図れるため、風下側列の列ピッチを小さくした分の熱交換性能の低下を補うことができる。
【００２２】
以上のように、本発明の実施の形態１では、ベース上に設けられた２列のフィンチューブ熱交換器からなる蒸発器と、この蒸発器の風下側下方部に設けられ、内部に放熱器を収納する放熱器収納箱と、放熱器収納箱の上面に設けられ、蒸発器に外部空気を送風するファンを備え、蒸発器の風下側列のフィンチューブ熱交換器の列ピッチを風上側列のフィンチューブ熱交換器の列ピッチより小さくしたため、蒸発器および放熱器の熱交換性能の低下を抑えながら、熱源機の省スペース化を図ることができる。
【００２３】
なお、上記では風上側列と風下側列のフィンピッチは同じとしたが、異なるように構成してもよい。例えば、風下側列のフィンピッチを風上側列のフィンピッチの２倍としてもよい。伝熱管に関しては異なる列で互いに異なる高さとなるように配置したが、フィンについては、通風抵抗をこれ以上大きくしないため各フィンを揃えて配置する方がよい。伝熱管に関しては、互いに同じ高さとすると風下側列の伝熱管にはほとんど風が当たらず、異なる高さとした場合と比べて伝熱性能が著しく低下するが、フィンについては風下側列のフィンに風が当たらないことより、互いにずらすことで通風抵抗が増すことの方が、デメリットが大きくなるためである。
また、フィンピッチは風上側列の方が、風下側列より小さくした方がよい。風上側列の方が蒸発器４全体の熱交換性能への寄与率が高く、風上側列のフィン数を多く、即ちフィンピッチを小さくし、より伝熱性能を上げるよう構成した方が、蒸発器４全体での熱交換性能が向上できるためである。
【００２４】
また、放熱器収納箱７に変えて、放熱器を収納しなくとも何らかの箱体、あるいは通風抵抗となるような構造物であっても本発明の構成を採用することで、蒸発器および放熱器の熱交換性能の低下を抑えながら、熱源機の省スペース化を図ることができるという本発明の効果を奏する。
【００２５】
上記の例では、蒸発器４の列数は２列のものを説明したが、本発明は２列に限定されるものではない。３あるいは４列の場合であっても最も風上側の１列以外の風下側の１列あるいは複数列の列ピッチを風上側列より小さくすることとしてもよい。
【００２６】
実施の形態２．
上記実施の形態１では、ヒートポンプ給湯機のヒートポンプユニットであって、蒸発器が２列のフィンチューブ熱交換器からなり、また、蒸発器の風下側下方に放熱器収納箱が配置されたヒートポンプユニットにおいて、風下側列のフィンチューブ熱交換器の列ピッチを風上側列より小さく構成したが、本実施の形態では、蒸発器の上部と下部とを別パーツとし、下部パーツの列ピッチを上部パーツに比べて小さくした構成について説明する。
【００２７】
図６は本発明の実施の形態２に係るヒートポンプユニットの蒸発器の構成を示す側面図である。図で示したとおり、本実施の形態の蒸発器４は上部パーツ４ａと下部パーツ４ｂとで構成されている。また、上部パーツ４ａの風下側列の下端に第１の切欠部４ｃが設けられている。さらに放熱器収納箱７の風上側の上端部には上記第１の切欠部４ｃの傾きと略平行な傾斜部７ａが設けられている。上部パーツ４ａの風上側列と風下側列の列ピッチはいずれもＡであり、一方、下部パーツ４ｂの風上側列と風下側列の列ピッチはいずれもＡより小さいＢである。それ以外の構成については、上記実施の形態１と同じであり、図６で図示していないが、ヒートポンプユニット１００のベース１０上には、ベース上に圧縮機１と、放熱器２が収納された放熱器収納箱７が配設されている。圧縮機１の上には電気品ＢＯＸ９が設けられている。電気品ＢＯＸ９は、圧縮機１や、膨張弁３、ファン５など各アクチュエータを制御するための回路基板が収納されている。圧縮機１の側部は仕切部材１１によって仕切られており、圧縮機１の反対側は送風室となっている。
【００２８】
このように蒸発器４を上部パーツ４ａと下部パーツ４ｂに分割し、下部パーツ４ｂの列ピッチを小さく構成したことで、蒸発器４下部の通風抵抗を少なくすることができる。蒸発器４下部は風下側に放熱器収納箱７が配設されるので風速分布の悪化するが、その分、下部パーツ４ｂの列ピッチを小さくし通風抵抗を少なくするので、蒸発器の熱交換性能の低下を抑えることができ、また、放熱器収納箱７の設置スペースも確保することができ、放熱器、蒸発器の熱交換性能の低下を抑えながら、ヒートポンプユニットの省スペース化を図ることができる。
【００２９】
なお、下部パーツ４ｂの列ピッチＢは上記実施の形態１と同様に伝熱管の外径より５ｍｍ以上長くすることが望ましい。例えば、上部パーツ４ａの列ピッチＡを２２ｍｍ、上部パーツ４ａ、下部パーツ４ｂの伝熱管の外径を７．５ｍｍとすると、下部パーツ４ｂの列ピッチＢは１２．５ｍｍ以上であることが望ましい。本実施の形態２の下部パーツ４ｂは風上側列と風下側列の両方の列ピッチを小さくすることができるため、両方合わせて最大で１９ｍｍ程度小さくすることができ、その分、蒸発器４下部の風速分布の低下を抑えることができる。
【００３０】
また、下部パーツ４ｂの上端は放熱器収納箱７の上面よりも上に位置するように構成するのが望ましい。放熱器収納箱７の上面より下に位置するよう構成しても風速分布低下を抑える効果はあるが、上に位置するように構成することで、矢印Ｄで示した風路の幅を確保することができるので、より風速分布低下を抑えることができる。
【００３１】
さらに、上部パーツ４ａの風下側列の下端部風下側に第１の切欠部４ｃを設け、また、蒸発器４の風下側と対向する放熱器収納箱７の風上側の上端部に傾斜部７ａを設ける。このように構成することで、空気流れの方向に沿って風路幅を確保することができるので、さらに風速分布低下を抑えることができる。なお、第１の切欠部４ｃの切欠きの傾斜と傾斜部７ａの傾斜は略等しく構成するのが望ましい。
【００３２】
また、それぞれの傾斜は、風上側列の伝熱管の中心と、この風上側列の伝熱管とフィンチューブの段方向上側にずれた位置で隣接する風下側列の伝熱管の中心とを結んだ直線と略平行となるよう構成することが望ましい。蒸発器下部の風路幅確保のためである。
【００３３】
図６の矢印Ｐ１、Ｐ２は伝熱管のパス構成を表したものである。図で示したように、２つのパスＰ１とＰ２はそれぞれの伝熱管への入口から下部パーツ４ｂの風上側列内で上下に分岐し、風上側列入口の段と同じ段の風下側列へと戻ってくる。そして、上部パーツ４ａ風下側列の中央の段へ接続され、上下に分岐し、風上側列の中央の段に戻って出て行くよう構成されている。このように構成することで、上部パーツ４ａと下部パーツ４ｂとの間でパスＰ１とＰ２のそれぞれの接続が１箇所（計２箇所）になるように構成することで、製造が容易となる。
【００３４】
なお、上記では上部パーツ４ａと下部パーツ４ｂの伝熱管の外径を同じ構成としたが、図７に示したように下部パーツ４ｂの伝熱管外径を上部パーツ４ａの伝熱管外径より小さい構成としてもよい。このように構成することで、さらに風路抵抗を減らすことができるとともに、列ピッチもさらに小さく構成することができ、放熱器収納箱７の設置スペースの確保、通風抵抗の低減が図ることができる。
【００３５】
また、これらの構成と併せて、下部パーツ４ｂのフィンピッチを上部パーツ４ａのフィンピッチより大きくすることとしてもよい。これによりさらに通風抵抗が低減することができる。その他、蒸発器４における風速分布に合わせて、風速の小さい所のみフィンピッチを大きく構成するようにしてもよい。蒸発器４における風速分布は蒸発器４下部の仕切り板１１付近で最も悪化する。図８で示したように、蒸発器の仕切り板近傍部１８は仕切り板１１により風路が狭くなるのに加えて、放熱器収納箱７から引き出された放熱器２の接続配管が配置した場合、さらに通風抵抗が増加する。そのため、蒸発器４下部の仕切り板１１近傍のフィンピッチを大きく構成することで、風速分布がより均一化され、熱交換器の性能が向上する。
【００３６】
以上のように、本実施の形態２は、蒸発器の上部と下部とを別パーツとし、下部パーツの列ピッチを上部パーツに比べて小さくした。上記実施の形態１のように、蒸発器の風下側列全体の列ピッチを小さくしたものと比べて、別パーツとしたことにより風速分布の悪化する蒸発器下部の幅をより小さくすることができ、風速分布の改善を図ることができる。また、上部パーツについては従来と幅は変わることがないので、熱交換性能を確保しながら、放熱器収納箱の設置スペースを確保することができる。
【００３７】
実施の形態３．
上記実施の形態２では、蒸発器の上部と下部とを別パーツとし、下部パーツの列ピッチを上部パーツに比べて小さくした構成について説明したが、本実施の形態では、蒸発器の下部に、放熱器収納箱高さに対応した第２の切欠部を設けたものについて説明する。
【００３８】
図９は本発明の実施の形態３のヒートポンプ給湯機の蒸発器４、ファン５、放熱器収納箱７の構成を示した模式図である。図で示したように蒸発器４下部であって、蒸発器４の風上側列と風下側列の両方に放熱器収納箱７の高さに対応した第２の切欠部４ｄを設けた。これにより、蒸発器下部の風速分布の改善を図るとともに、第２の切欠部４ｄにより蒸発器の列幅が薄くなった分、放熱器収納箱７の配置スペースを確保することができる。
【００３９】
さらに、図９では蒸発器全体で伝熱管の外径は同じ長さとしたが、蒸発器下部の伝熱管１７ｂは蒸発器上部の伝熱管１７ａに比べて伝熱管の外径が小さくしてもよい。伝熱管の外径が小さくなることによりさらに蒸発器下部の通風抵抗が低減されるとともに、設けた第２の切欠部４ｄの列方向の寸法を大きくすることができ、第２の切欠部４ｄを大きくすることでさらに通風抵抗の低減を図ることができる。
【００４０】
なお、第２の切欠部４ｄの上端部の傾斜は、放熱器収納箱７の風上側上端部に設けられた傾斜部７ａの傾斜と略等しいことが望ましい。また、第２の切欠部４ｄの傾斜している部分の上端は放熱器収納箱７の傾斜部７ａより高い位置に設けられていることが望ましい。風路の幅を確保し、通風抵抗を低減するためである。
【００４１】
また、切欠きより下側の伝熱管の冷媒流路と上側の冷媒流路とで別々の流路を構成するようにしてもよい。さらに、図８で示したように、蒸発器における風速分布は圧縮機との仕切り板１１側の下部で最も悪化する。そのため、仕切り板１１と対向する蒸発器４の下部周辺にのみ切欠きを設けることとしてもよい。もしくは、風下側列の第２の切欠部４ｄは放熱器収納箱７の配置スペース確保のために必要であれば、風上側列の第２の切欠部４ｄのみ仕切り板１１と対向する蒸発器４の下部周辺のみ設けるように構成してもよい。
【図面の簡単な説明】
【００４２】
【図１】本発明の実施の形態１に係るヒートポンプ給湯機の冷媒回路図である。
【図２】本発明の実施の形態１に係るヒートポンプユニットの構成を示す斜視図である。
【図３】本発明の実施の形態１に係るヒートポンプユニットの構成を示す正面模式図である。
【図４】本発明の実施の形態１に係るヒートポンプユニットの蒸発器、ファン、放熱器収納箱の配置構成を示す模式図である。
【図５】本発明の実施の形態１に係るヒートポンプユニットの蒸発器の側面図である。
【図６】本発明の実施の形態２に係るヒートポンプユニットの蒸発器の側面図である。
【図７】本発明の実施の形態２に係るヒートポンプユニットの蒸発器の他の構成を示す側面図である。。
【図８】本発明の実施の形態２に係るヒートポンプユニットの蒸発器と仕切り板の関係を示す上面から見た図である。
【図９】本発明の実施の形態３に係るヒートポンプユニットの蒸発器の側面図である。
【符号の説明】
【００４３】
１  圧縮機、２  放熱器、３  膨張弁、４  蒸発器、  ４ａ  上部パーツ、  ４ｂ  下部パーツ、  ４ｃ  第１の切欠部、  ４ｄ  第２の切欠部、  ５  ファン、６  配管、７  放熱器収納箱、  ７ａ  傾斜部、  ８  タンク、９  電気品箱、１０  ベース、１１  仕切り板、１２  ファンガード、１３  フロントパネル、  １４  側面パネル、  １５  配管カバー、  １６  トップパネル、    １００  ヒートポンプユニット、２００  タンクユニット
【図１】
0005012569.tif 000002
【図２】
0005012569.tif 000003
【図３】
0005012569.tif 000004
【図４】
0005012569.tif 000005
【図５】
0005012569.tif 000006
【図６】
0005012569.tif 000007
【図７】
0005012569.tif 000008
【図８】
0005012569.tif 000009
【図９】
0005012569.tif 000010